(57)【要約】【課題】骨（Ｏs）の２つの部分の間で骨接合法を実施するための骨接合用の自己圧縮ネジ、好ましくは自己タップネジ。【解決手段】回転軸線（２）を有するシャンク（１）と、このシャンク（１）上に形成された上記回転軸線（２）と同心な第１および第２の２つのネジ山（１１、２２）とを有し、第１ネジ山（１１）のネジ部（１４）の谷（１２）と頂き（１３）との間に規定される回転中空円筒形の第１エンベロープ（１５）が、第２ネジ山（２２）のネジ部（２５）の谷（２３）と頂き（２４）との間に規定される回転中空円筒形の第２エンベロープ（２５）の内部に完全に含まれ、且つ、第１ネジ山（１１）のピッチ（Ｐ11）は第２ネジ山（２２）のピッチ（Ｐ22）よりも小さい。
2006525844.tif 000002
【特許請求の範囲】
【請求項１】
回転軸線（２）を有するシャンク（１）と、このシャンク（１）上に形成された上記回転軸線（２）と同心な第１および第２の２つのネジ山（１１、２２）とを有する、骨（Ｏs）の２つの部分の間で骨接合法を実施するための骨接合用の自己圧縮ネジにおいて、
第１ネジ山（１１）のネジ部（１４）の谷（１２）と頂き（１３）との間に規定される回転中空円筒形の第１エンベロープ（１５）が、第２ネジ山（２２）のネジ部（２５）の谷（２３）と頂き（２４）との間に規定される回転中空円筒形の第２エンベロープ（２５）の内部に完全に含まれ、且つ、第１ネジ山（１１）のピッチ（Ｐ11）が第２ネジ山（２２）のピッチ（Ｐ22）よりも小さいことを特徴とする自己圧縮ネジ。
【請求項２】
第１エンベロープ（１５）の内径が第２エンベロープ（２５）の内径にほぼ等しい請求項１に記載の自己圧縮ネジ。
【請求項３】
第１エンベロープ（１５）の外径と内径との差が第２エンベロープ（２５）の外径と内径との差のほほ半分に等しい請求項２に記載の自己圧縮ネジ。
【請求項４】
第１ネジ山（１１）のピッチ（Ｐ11）が第２ネジ山（２２）のピッチ（Ｐ22）のほぼ半分に等しい請求項１〜３のいずれか一項に記載の自己圧縮ネジ。
【請求項５】
第２ネジ山（２２）の、第１ネジ山（１１）の方を向いた端部（２７）とは反対側にある端部（２６）を自己タップ挿入端（２８）として形成した請求項１〜４のいずれか一項に記載の自己圧縮ネジ。
【請求項６】
第１ネジ山（１１）の、第２ネジ山（２２）の方を向いた端部（１７）とは反対側にある端部（１６）をねじ込み具用のグリップ端（１８）として形成した請求項１〜５のいずれか一項に記載の自己圧縮ネジ。
【請求項７】
シャンク（１）と第１および第２の２つのネジ山（１１、２２）が生体適合材料からなる単一部品で作られている請求項１〜６に記載の自己圧縮ネジ。
【請求項８】
生体適合材料がチタンまたはチタン合金である請求項１〜７のいずれか一項に記載の自己圧縮ネジ。
【請求項９】
ねじ込み手段−ねじ外し手段をさらに有する請求項１〜８のいずれか一項に記載の自己圧縮ネジ。
【請求項１０】
ねじ込み−ねじ外し手段が、第１ネジ山（１１）に形成されたシャンク（１）の軸線（２）と平行な長手方向のフラップで構成される請求項９に記載の自己圧縮ネジ。
【発明の詳細な説明】
【技術分野】
【０００１】
本発明は、骨の２つの部分を接合するための自己圧縮ネジ（vis auto compressives）に関するものである。
本発明は特に、骨の２つの部分の間で骨接合（osteosynthese）を行うための自己圧縮ネジ、好ましくは自己タップネジ（vis auto tarsudantes）に関するものである。
【背景技術】
【０００２】
骨の２つの部分の間で骨接合を行うための器具・装置、例えば骨折後の骨接合、２つの骨の間の関節の所の疾患原因を取り除くための骨接合等を行うための器具は多数存在する。
これらの骨接合を実施すのに用いられる多数の器具・装置の中には極めて単純な骨ネジ（vis osseuses）がある。この骨ネジのシャンク（tige）は２つの骨部分の中の第１の骨部分にねじ込まれ、これを貫通した後、第２骨の部分に挿入される。シャンクの第１部分から出た部分の端部にはナット、その他が螺合される。
【０００３】
この器具を用いた方法は骨全体には良い結果を与えるが、手の骨のような小さい骨やそれに類似した骨を接合する場合にはいくつかの欠点がある。
その主たる欠点は、小さい骨の場合、ナットを取り付けたネジ部分を下げる（後退させる）ことが極めて難しいか、不可能なため、接合すべき骨部分を取り囲んでいる肉を傷つける恐れがあることである。
【０００４】
自己圧縮ネジシステムは下記文献に記載されている。
【特許文献１】米国特許第６，０３０，１６２号明細書
【０００５】
しかし、このシステムを用いて自己圧縮をするには、ネジ山が円錐であることの他に、この文献の図１、３、８、９、１７〜２２に示される例で見られるような３つのネジ山をさらに有するか、図１１〜図１６に示される例で見られるような２つのネジと１４０の番号が付けられたナットを有することが必要である。
【発明の開示】
【発明が解決しようとする課題】
【０００６】
本発明の目的は、上記従来法の骨ネジの欠点をほぼ克服して、従来法のネジに対して構成要素の数を最小にした単純な構造で極めて良好な自己圧縮を行うことができ且つ２つの骨部分を接合することができる自己圧縮および自己タップネジを提供することにある。
【課題を解決するための手段】
【０００７】
本発明の対象は、回転軸線を有するシャンクと、このシャンク上に形成された上記回転軸線と同心な第１および第２の２つのネジ山とを有する、骨の２つの部分の間で骨接合法を実施するための骨接合用の自己圧縮ネジにおいて、第１ネジ山のネジ部の谷と頂きとの間に規定される回転中空円筒形の第１エンベロープが、第２ネジ山のネジ部の谷と頂きとの間に規定される回転中空円筒形の第２エンベロープの内部に完全に含まれ、且つ、第１ネジ山のピッチが第２ネジ山のピッチよりも小さいことを特徴とする自己圧縮ネジにある。
【０００８】
本発明の上記以外の特徴および利点は添付図面を参照した以下の説明からより良く理解できよう。しかし、本発明が下記実施例に限定されるものではない。
【実施例】
【０００９】
［図１］〜［図３］は回転部材または略回転部材を表すのに工業図面で広く用いられている一般的な表記で表した縦方向断面図である。
添付図面に示した本発明のネジは、骨Ｏsの２つの部分を接合して２つの骨部分の間に骨接合を形成するための自己圧縮ネジである。
このネジは回転軸線２を有するシャンク１と、このシャンク１上に形成された第１および第２の２つのネジ山 (filetage) １１、２２とを有している。これらの第１および第２の２つのネジ山１１、２２は上記回転軸線２と同心である。
【００１０】
本発明の１つの特徴は、第１ネジ山１１のネジ部１４ (filet)の谷１２と頂き１３との間に規定される回転中空円筒形をした第１エンベロープ１５（これは上記回転軸線２と同心手ある）が、第２ネジ山２２のネジ部２５の谷２３と頂き２４との間に規定される回転中空円筒形をした第２エンベロープ２５（これも上記と同様に上記回転軸線２と同心である）の内部に完全に含まれ、さらに、第１ネジ山１１のピッチＰ11が第２ネジ山２２のピッチＰ22よりも小さい点にある。
【００１１】
上記の２つのネジ山１１、２２は両者を隔てる空間を設けずにシャンク１上に連続して形成することができるが、例えばシャンクの平滑部分を介して互いに分離することもできるということは理解できよう。
［図３］に示す好ましい工業的な実施例では第１エンベロープ１５の内径と第２エンベロープ２５の内径とはほぼ等しい。
手の骨の骨接合で極めて優れた結果が得られた実施例では、第１エンベロープ１５の外径と内径との差が、第２エンベロープ２５の外径と内径との差のほぼ半分で、第１ネジ山１１のピッチＰ11が第２ネジ山２２のピッチＰ22のほぼ半分である。
【００１２】
本発明のネジは上記のような分野で使用されるが、ネジ取付け用の下穴を予め開ける必要性を無くすために、第２ネジ山２２の一端部２６を自己タップ挿入端２８として形成するのが好ましい（この一端部２６は第１ネジ山１１の方を向いた端部２７とは反対側にある）。
【００１３】
第１ネジ山１１の端部１６にはねじ込み具で把持可能なグリップ端１８を形成する（この端部１６は第２ネジ山２２の方を向いている端部１７とは反対側にある）。この端部16には図示したような溝、多角形凹部、その他を形成して、ドライバーのような工具を用いて回転できるようになっている。そうすることによって、従来ネジのような段付きヘッドを形成する必要がなくなる。上記ドライバー等は骨修復外科手術の分野で周知の補助具である。
シャンク１と第１および第２の２つのネジ山１１、２２は単一部品で作ることができ、チタンまたはチタン合金のような生体適合材料で作るのが好ましい。
【００１４】
［図２］を参照にして、上記の自己圧縮ネジの使用方法を説明する。
先ず最初に、骨修復外科手術の分野で周知な仮手段を用いて骨接合をすべき２つの骨部分を互いに保持・固定する。次に、第２ネジ山２２の端部２８に形成したタッピングを用いて本発明ネジを第１骨部分中にねじ込む。［図２］に示すネジ部３０は第２ネジ山２２が通過した後に骨Ｏsの第１部分に得られるネジ部である。第２ネジ山２２は、骨Ｏsの第１部分を貫通した後、骨の第２部分中へ同じく自己タップ作用によって挿入・ねじ込まれる。これと同時に、本発明ネジの上記構造的特徴から、第１ネジ山１１は、［図２］に示すように、第２ネジ山によって骨の第１部分に形成されたネジ部３０中に螺合する。
【００１５】
しかし、第１ネジ山１１のピッチは第２ネジ山２２のピッチよりも小さいので、２つの骨部分は自己圧縮ネジに対して相対後退移動する。その際に、ピッチＰ22がピッチＰ11よりも構造的に大きいため、骨の第２部分の後退移動量は第１骨部分の後退移動量よりも大きくなる。実際の２つの骨部分の相対後退位置の差は２つのピッチＰ11とピッチＰ22との値の差に比例する。
【００１６】
その結果、２つの骨部分は互いに接触する（まだ接触していない場合）。ネジに追加のねじ込み力を加えることで２つの骨部分に追加の圧縮力を加えて両者を互いに押圧して骨接合を促進することができる。
【００１７】
ネジのねじ込みは上記のようにグリップヘッド１８に力を加えて行う。
本発明ネジには上記以外の利点がある。特に、本発明ネジは骨の第１部分から突出したシャンクの端部にナット螺合する要がない。すなわち、外科医が骨の２つの部分にネジをねじ込み、圧縮力を加えた後に、シャンク１のこの突出部分を骨の第１部分と同一平面で切断することができる。それによって周囲の肉に損傷をあたえるような突出部はできない。
【００１８】
外科医がネジの切断後に追加のねじ込みを行うことで切断した端部を骨の第１部分の中へ完全に挿入させ、それによって切断端を完全に後退させ、ネジの全ての部分が周囲の肉に損傷を与えるような突出をしないようにすることができる。
【００１９】
さらに、骨接合が達成された時にはもはやネジは必要なくなるので、外科医はネジを回して外すこともできる。そのために、本発明ネジは、ネジの突出端を切断するか、埋込み後にネジを抜いた後に、追加のねじ込みを容易に行えるようにするためのねじ込み−ねじ外し手段を有するのが好ましい。
【００２０】
この目的を達成するためのねじ込み−ねじ外し手段は、第１ネジ山１１に形成したシャンクの軸線と平行な少なくとも一つの長手方向のフラップ（meplat）で構成できる。このフラップをペンチ、その他の類似物でグリップし、必要な方向へ回してネジを回転させる。
【図面の簡単な説明】
【００２１】
【図１】本発明の自己圧縮ネジの原理を示す図。
【図２】本発明の自己圧縮ネジの動作の理解を助けるための図。
【図３】本発明の自己圧縮ネジの好ましい実施例の概念図。
【図１】
2006525844.tif 000003
【図２】
2006525844.tif 000004
【図３】
2006525844.tif 000005
【国際調査報告】
2006525844.tif 000006
2006525844.tif 000007
2006525844.tif 000008
2006525844.tif 000009